(57)【特許請求の範囲】
【請求項１】
前身頃と、後身頃とを備えた授乳服において、
上記後身頃には、着用時に上記後身頃の右側に配設される右後身頃と、上記後身頃の左側に配設される左後身頃とを備え、
上記前身頃の右側端と上記右後身頃の右側端とが接続され、上記前身頃の左側端と上記左後身頃の左側端とが接続されたものであり、
上記後身頃には、上記右後身頃と、上記左後身頃とがその上端で前後に重ね合わされた重なり部を備え、
少なくとも上記重なり部における上記右後身頃の左上端と上記左後身頃の右上端とが留められ、上記重なり部の上端における重なり幅は一定とされ、上記右後身頃の左側端と上記左後身頃の右側端は開放されているものであり、
上記重なり部の上端が、着用時に少なくとも肩部より下の上胸部または上背部に配設されており、前後を変更して着用可能としたものであり、
上記重なり部には、上記重なり部の上端における重なり幅を変えることなく、上記重なり部を含む左右方向の長さを調節する調節具を備えたことを特徴とする授乳服。
【請求項２】
前身頃と、後身頃とを備えた授乳服において、
上記後身頃には、着用時に上記後身頃の右側に配設される右後身頃と、上記後身頃の左側に配設される左後身頃とを備え、
上記前身頃の右側端と上記右後身頃の右側端とが接続され、上記前身頃の左側端と上記左後身頃の左側端とが接続されたものであり、
上記後身頃には、上記右後身頃と、上記左後身頃とがその上端で前後に重ね合わされた重なり部を備え、
少なくとも上記重なり部における上記右後身頃の左上端と上記左後身頃の右上端とが留められ、上記重なり部の上端における重なり幅は一定とされ、上記右後身頃の左側端と上記左後身頃の右側端は開放されているものであり、
上記重なり部の上端が、着用時に少なくとも肩部より下の上胸部または上背部に配設されており、前後を変更して着用可能としたものであり、
上記前身頃と上記後身頃とを繋ぐ肩ひもを備え、上記肩ひもは、上記重なり部の上端における重なり幅を変えることなく、上記重なり部を含む左右方向の長さを調節するものであり、
上記前身頃には、その上端を折り返して形成された前挿通部を備え、
上記後身頃には、その上端を折り返して形成された後挿通部を備え、
上記肩ひもは、上記前挿通部と、上記後挿通部とに挿通されており、
上記前挿通部と、上記後挿通部の何れか一方には、調節孔が備えられたことを特徴とする授乳服。
【発明の詳細な説明】
【技術分野】
【０００１】
本願発明は、授乳服に関するものである。
【背景技術】
【０００２】
従来より、外出先において乳児に授乳する際、人目を気にせず、かつ円滑に授乳を行うために使用する授乳服に関する提案がなされている（例えば、特許文献１参照）。
【先行技術文献】
【特許文献】
【０００３】
【特許文献１】特許第４１９９８７７号公報
【発明の概要】
【発明が解決しようとする課題】
【０００４】
例えば、特許文献１においては、前身頃を２枚仕立てとし、それぞれの身頃の相反する片脇を後身頃から分離させることによって、布の重なりを利用して容易に乳房を出し入れすることができる開口部を設けるとともに肌の露出を抑えた衣服が提案されている。しかしながら、上記の布の重なりは、授乳服内部に設けられる授乳のための空間、いわゆる授乳空間の大きさを布の重なりの開閉によって調節するために設けられたものではなく、また、布の重なりの上端が肩の位置にあるため胸元に対して布の開き幅が大きく、布の重なりの開閉の度合いによっては授乳状態を露出させる恐れがあり、着用者及び／又は乳児の体格や授乳の仕方等によっては、授乳服内部に必要な授乳空間を確保できずにいた。
【０００５】
本願発明はこのことに鑑み、授乳服において、後身頃を２枚仕立てとし、その２枚の身頃の重なり部分を利用して着用時の身頃幅を調節可能とすることによって、内部に十分な授乳空間を確保するとともに、外出先でも安心して良好な授乳を行うことができる授乳服を提供することを課題とする。
【課題を解決するための手段】
【０００６】
上記課題を解決するために、本願の請求項１に係る発明は、前身頃と、後身頃とを備えた授乳服において、上記後身頃には、着用時に上記後身頃の右側に配設される右後身頃と、上記後身頃の左側に配設される左後身頃とを備え、上記前身頃の右側端と上記右後身頃の右側端とが接続され、上記前身頃の左側端と上記左後身頃の左側端とが接続されたものであり、上記後身頃には、上記右後身頃と、上記左後身頃とがその上端で前後に重ね合わされた重なり部を備え、少なくとも上記重なり部における上記右後身頃の左上端と上記左後身頃の右上端とが留められ、上記重なり部の上端における重なり幅は一定とされ、上記右後身頃の左側端と上記左後身頃の右側端は開放されているものであり、上記重なり部の上端が、着用時に少なくとも肩部より下の上胸部または上背部に配設されており、前後を変更して着用可能としたものであり、上記重なり部には、上記重なり部の上端における重なり幅を変えることなく、上記重なり部を含む左右方向の長さを調節する調節具を備えたことを特徴とする授乳服を提供する。
【０００７】
また、本願の請求項２に係る発明は、前身頃と、後身頃とを備えた授乳服において、上記後身頃には、着用時に上記後身頃の右側に配設される右後身頃と、上記後身頃の左側に配設される左後身頃とを備え、上記前身頃の右側端と上記右後身頃の右側端とが接続され、上記前身頃の左側端と上記左後身頃の左側端とが接続されたものであり、上記後身頃には、上記右後身頃と、上記左後身頃とがその上端で前後に重ね合わされた重なり部を備え、少なくとも上記重なり部における上記右後身頃の左上端と上記左後身頃の右上端とが留められ、上記重なり部の上端における重なり幅は一定とされ、上記右後身頃の左側端と上記左後身頃の右側端は開放されているものであり、上記重なり部の上端が、着用時に少なくとも肩部より下の上胸部または上背部に配設されており、前後を変更して着用可能としたものであり、上記前身頃と上記後身頃とを繋ぐ肩ひもを備え、上記肩ひもは、上記重なり部の上端における重なり幅を変えることなく、上記重なり部を含む左右方向の長さを調節するものであり、上記前身頃には、その上端を折り返して形成された前挿通部を備え、上記後身頃には、その上端を折り返して形成された後挿通部を備え、上記肩ひもは、上記前挿通部と、上記後挿通部とに挿通されており、上記前挿通部と、上記後挿通部の何れか一方には、調節孔が備えられたことを特徴とする授乳服を提供する。
【発明の効果】
【０００８】
本願の発明では、授乳服において、後身頃を右後身頃と左後身頃との２枚仕立てとし、前身頃の右側端と右後身頃の右側端、前身頃の左側端と左後身頃の左側端とをそれぞれ接続し、右後身頃と左後身頃とをその上端で前後に重ね合わせた重なり部の少なくとも左右の上端を留めるとともに右後身頃の左側端と左後身頃の右側端とを開放することによって、開放されている右後身頃の左側端と左後身頃の右側端とが左右方向に開くことを利用して、前身頃の胸元を覆った状態で前後方向及び／又は左右方向の身頃幅を調節可能な授乳服を提供することができたものである。身頃幅を調節することによって、授乳服内部に授乳に十分な空間を設けることができるとともに、着用者は肌を露出することなく、乳児を授乳服で覆った状態で乳児に授乳を行うことができる。また、重なり部が後身頃に設けられたことにより、開放されている右後身頃の左側端と左後身頃の右側端との左右方向への開き幅を気にせず外出先でも安心して授乳を行うことができ、着用者及び／または乳児の体格による個人差等にも対応可能な授乳服を提供することができたものである。
また、本願の発明では、重なり部の上端が、着用時に少なくとも肩部より下の上胸部または上背部に配設されることによって、首周りを確保し、前後を変更して着用することができる授乳服を提供することができたものである。また、重なり部の上端が肩部に配設される場合と比較して、上背部における開放されている右後身頃の左側端と左後身頃の右側端との左右方向への開き幅、または、上胸部における開放されている右前身頃の左側端と左前身頃の右側端との左右方向への開き幅を抑えることができたため、特に、重なり部が前身頃に設けられた場合には、胸元に対してその開き幅を気にせずに授乳を行うことができる授乳服を提供することができたものである。
さらに、本願の発明では、重なり部を含む左右方向の長さを調節するための調節具を重なり部に備えることにより、前身頃と後身頃との身頃幅の調節量を調節することができる授乳服を提供することができたものである。特に、請求項２においては、調節具として肩ひもを用い、前身頃と後身頃の上端に設けられた前挿通部及び後挿通部に肩ひもを挿通し、その長さを調節することによって、着丈と、前身頃と後身頃の襟ぐりの長さと、身頃幅の調節量とを調節することができ、授乳服内部の授乳空間の大きさを微調節することができるだけでなく、着用者及び／または乳児の体格による個人差等にも柔軟に対応可能な授乳服を提供できたものである。
【図面の簡単な説明】
【０００９】
【図１】本願発明の第１実施形態に係る授乳服全体を示す（Ａ）正面図、及び（Ｂ）背面図である。
【図２】本願発明の第１実施形態に係る授乳服を示すもので、（Ａ）は展開状態を示す説明図、（Ｂ）は部品図である。
【図３】本願発明の第１実施形態に係る授乳服の右後身頃と左後身頃とを左右方向へ開いた状態を示す説明図である。
【図４】本願発明の第１実施形態に係る授乳服の使用状態の一例を示す説明図である。
【図５】本願発明の第２実施形態に係る授乳服を示すもので、(Ａ)は授乳服全体を示す説明図であり、（Ｂ）は第２実施形態に係る授乳服の使用状態の一例を示す説明図である。
【発明を実施するための形態】
【００１０】
以下、図面に基づき本願発明の実施の形態の一例を取りあげてを説明する。なお、本願の各請求項及び明細書の記載における上下前後左右の表現は、相対的な位置関係を示すに止まり、絶対的な位置を特定するものではない。
【００１１】
本願発明に係る授乳服１０は、図１（Ａ）及び図１（Ｂ）に示すように、前身頃１１と、後身頃２１と、前身頃１１と後身頃２１とを繋ぐ肩ひも４１とから構成された、いわゆるキャミソールタイプの授乳服である。
【００１２】
前身頃１１は、図１（Ａ）に示すように、１枚の身頃から構成され、その上端１２には、前身頃１１と後身頃２１とを繋ぐ肩ひもを挿通するための前挿通部１５が備えられている。前挿通部１５は、前身頃１１の上端１２を内側に折り返し、折り返し下端を縫着して筒状に形成されたものあり、中央には、調節孔１６，１６が２つ設けられている。また、前見頃１１は、本実施形態では１枚の身頃から構成されているが、複数の身頃を縫着して構成したり、複数の身頃をボタン等の係止具を用いて係止して構成してもよく、衿がついていてもよい。
【００１３】
後身頃２１は、図１（Ｂ）に示すように、着用時に、後身頃２１の右側に配設される右後身頃２２と、後身頃２１の左側に配設される左後身頃２６との２枚の身頃から構成され、前身頃１１の右側端１３と右後身頃２２の右側端２４とが接続され、前身頃１１の左側端１４と左後身頃２６の左側端２９とが接続されている。本実施形態においては、右後身頃２２と左後身頃２６とは、その形状が左右対称となっている。また、本実施形態においては、図２（Ａ）に示すように、展開状態において、前身頃１１と、右後身頃２２と、左後身頃２６とが１枚のシート材から形成されているが、図２（Ｂ）に示すように、前身頃１１と、右後身頃２２と、左後身頃２６とを、別々の部品から形成し、それぞれの側端（１３と２４，１４と２９）を縫着や接着等により接続してもよい。
【００１４】
また、図１（Ｂ）に示すように、後身頃２１を構成する右後身頃２２と左後身頃２６とは、その上端２３，２７を基準として前後に重ね合わされた重なり部３０を備えている。重なり部３０は、本実施形態のように、右後身頃２２の一部と左後身頃２６の一部とを、その上端２３，２７を基準として前後に重ね合わせて形成してもよいし、右後身頃２２と左後身頃２６とをその上端２３，２７を基準として前後に完全に重ね合わせて形成してもよい。前後の重ね合わせは、右後身頃２２と左後身頃２６とのどちらが前方になってもよい。
【００１５】
さらに、本実施形態では、重なり部３０の上端３１を全体に渡って縫着することによって、右後身頃２２と左後身頃２６とを接続している。より詳しくは、前身頃１１と後身頃２１とを繋ぐ肩ひも４１を挿通する後挿通部３４として、重なり部３０の上端３１を含めた後身頃２１を構成する右後身頃２２と左後身頃２６の上端２３，２７を内側に折り返し、その折り返し下端を縫着して筒状に形成することによって、右後身頃２２と左後身頃２６とを接続している。また、右後身頃２２の左側端２５と左後身頃２６の右側端２８は、それぞれ開放されている。重なり部３０の上端３１は、少なくとも重なり部３０において右後身頃の左上端３２と左後身頃の右上端３３の２箇所を留めて、右後身頃２２と左後身頃２６とが接続されていればよい。また、重なり部３０の上端３１は、着用時、つまり、後述する肩ひも４１の長さを調節した後に、肩部より下の上背部に配設されるものとする。本願における上背部とは、肩部を除く肩甲骨周辺を指し、着用者の体格にもよるが、中肉中背の成人女性においては、左または右の首の付け根から鉛直方向に１０ｃｍ〜３０ｃｍの範囲に、重なり部３０の上端３１が配設されるものとする。
【００１６】
肩ひも４１は、前身頃１１と後身頃２１とを繋ぐもので、１本の紐状体から形成される。前身頃１１に備えられた前挿通部１５の中央に設けられた２つの調節孔１６，１６のうちの一方の調節孔１６から肩ひも４１の一端が通され、後身頃２１に備えられた後挿通部３４を通って、前挿通部１５の他方の調節孔１６から肩ひも４１の一端が出されることによって、前挿通部１５と後挿通部３４とに肩ひも４１が挿通される。挿通された肩ひも４１の一端は、図１（Ａ）に示すように、２つの調節孔１６，１６のうちの一方の調節孔１６付近に、挿通された肩ひも４１の他端は、他方の調節孔１６付近に突出して備えられ、その両端を結ぶことによって、前身頃１１と後身頃２１とが肩ひも４１によって繋がれる。また、肩ひも４１の両端には調節孔１６からの抜けを防止する抜け止め４２，４２が設けられている。本実施形態においては、肩ひも４１の両端にそれぞれ結び目を用意することによって調節孔１６，１６からの抜けを防止している。さらに、肩ひも４１を調節孔１６，１６から外方へ引き絞るまたは内方へ緩めることによって肩ひも４１の長さを調節することができる。なお、図１（Ａ）では、肩ひも４１と調節孔１６，１６との関係をわかりやすくするために、肩ひも４１の結び位置を調節孔１６，１６よりも下方とした。
前挿通部１５を形成するための前身頃１１の上端１２の折り返し及び後挿通部３４を形成するための後身頃２１を構成する右後身頃２２と左後身頃２６の上端２３，２７の折り返しは、内側または外側のどちらでもよいが、内側に折り返すと授乳服１０の見栄えが良い。また、前挿通部１５は前身頃１１の上端１２全体に、後挿通部３４は後身頃２１を構成する右後身頃２２と左後身頃２６の上端２３，２７全体に渡ってそれぞれ連続的に設けられているが、断続的に設けてもよく、これに制限されるものではない。さらに、本実施形態においては、調節孔１６，１６を前挿通部１５に設けたが、調節孔１６，１６は、前挿通部１５と後挿通部３４の何れか一方に設けられていればよい。
【００１７】
前身頃１１と、後身頃２１と、肩ひも４１の素材には特に制限はなく、着用するための一定強度や耐久性、柔軟性、通気性、耐洗濯性等に優れた素材であればよく、ポリアミド系、ポリエステル系、ポリオレフィン系等の合成繊維、レーヨンやキュプラ等の再生繊維、綿、毛、ヤシ繊維、ジュート等の天然繊維や、２種以上の異なる繊維を混紡した混紡糸からなる織編布、不織布等の種々の素材の布を縫製して使用することができる。また、前身頃１１と、後身頃２１と、肩ひも４１とは、同素材の布を用いて形成してもよいし、別素材の布を用いて形成してもよい。さらに、布製以外の、例えば、編製されたニット製であってもよい。
【００１８】
また、前身頃１１及び後身頃２１の形状、つまり、前身頃１１、右後身頃２２及び左後身頃２６の形状については特に制限はなく、図１（Ｂ）に示すように、右後身頃２２の左側端２５から下端にかけての形状や左後身頃２６の右側端２８から下端にかけての形状を曲線状を有する形状にするほか、側端及び下端を平坦な形状としてもよく、本願発明の目的を逸脱しない範囲において適宜調整すればよい。さらに、前身頃１１、後身頃２１及び肩ひも４１の大きさや縦横の比率は、任意に選択することができる。
【００１９】
上述のように、後身頃２１を構成する右後身頃２２と左後身頃２６とをその上端２３，２７を基準として前後に重ね合わせた重なり部３０を設け、その重なり部３０の上端３１を折り返しその折り返し下端を縫着するとともに右後身頃２２の左側端２５と左後身頃２６の右側端２８とを開放することにより、開放されている右後身頃２２の左側端２５と左後身頃２６の右側端２８とが左右方向に開くことを利用して、前身頃１１の胸元を覆った状態で前後方向及び／又は左右方向の身頃幅を調節することができる。よって、授乳服１０内部に十分な授乳空間Ｊ１を設け、その空間の大きさを調節することができるとともに、着用者は肌を露出することなく、乳児を授乳服で覆った状態で安心して乳児に授乳を行うことができる。また、重なり部３０が後身頃２１に設けられたことにより、開放されている右後身頃２２の左側端２５と左後身頃２６の右側端２８との左右方向への開き幅を気にせず授乳を行うことができ、着用者及び／または乳児の体格による個人差等にも対応することができる。図３に、右後身頃２２と左後身頃２６とを左右方向へ開いた状態を示す。図３では、開く前の状態を実線で、左右方向へ開いた状態を二点鎖線で示し、開く前の状態及び左右方向へ開いた状態の右後身頃２２の右側端２４の下端と左後身頃２６の左側端２９との下端との距離を身頃幅Ｍ１，Ｍ２とした。また、図４に、本実施形態の使用状態の一例を示す。なお、本願において、身頃幅とは、身頃の左右の幅のほかに、身頃の前後の幅も含まれるものとする。
【００２０】
また、前挿通部１５と後挿通部３４とに挿通された肩ひも４１を調節孔１６，１６から外方へ引き絞ると、肩ひも４１全体のうち、肩への懸架部分４３，４３が短くなるため着丈が短くなるほか、前挿通部１５及び／又は後挿通部３４とが左右方向に縮められるため、前身頃１１と後身頃２１の襟ぐり１７，３５の長さが短くなる。さらに、後挿通部３４の左右方向の収縮に連動して重なり部３０の上端３１も左右方向に縮められ、重なり部３０の左右方向の長さが短くなるため、開放されている右後身頃２２の左側端２５と左後身頃２６の右側端２８とが左右方向に開くことを利用した右後身頃２２と左後身頃２６との左右方向への開き幅が狭くなり、前身頃１１と後身頃２１の身頃幅の調節量が小さくなる。（なお、重なり部３０の上端３１における重なり幅は、重なり部３０の上端３１を折り返しその折り返し下端を縫着することによって右後身頃２２と左後身頃２６とが接続されているため、肩ひも４１による重なり部３０の左右方向の長さの調節前後で変わることはない。）一方、前挿通部１５と後挿通部３４とに挿通され、外方へ引き絞られた肩ひも４１を内方へ緩めることによって、短くなった着丈や前身頃１１と後身頃２１の襟ぐり１７，３５の長さが元の長さに戻るとともに、前身頃１１と後身頃２１の身頃幅の調節量が元の量に戻る。したがって、前挿通部１５と後挿通部３４とに挿通された肩ひも４１を、調節孔１６，１６から外方へ引き絞るまたは内方へ緩めることによって、着丈と、前身頃１１と後身頃２１の襟ぐり１７，３５の長さと、身頃幅の調節量とを調節することができ、授乳服１０内部の授乳空間Ｊ１の大きさを微調節することができるだけでなく、着用者及び／または乳児の体格による個人差等にも柔軟に対応することができる。
【００２１】
本願発明に係る授乳服１０は、前身頃１１と後身頃２１の前後方向及び／又は左右方向の身頃幅及び／又は肩ひも４１の長さを調節することによって、授乳の仕方を問わず授乳服１０内部に十分な授乳空間Ｊ１を容易に設けることができるほか、授乳中の乳児の様子を前身頃１１の襟ぐり１７から確認することもできる。また、着用者が乳児を抱きかかえていても、乳児を背負っていても着用することができ、妊娠・出産により体型が変化しやすいマタニティの方や産後体型が戻った方も着用することができ、女性のライフサイクルに応じた体型の変化に柔軟に対応することができる。さらに、普段は、肩ひも４１を調節孔１６，１６からある程度外方へ引き絞っておき、授乳時にある程度外方へ引き絞った肩ひも４１を内方へ緩めるとともに身頃幅を調節して授乳服１０内部に十分な授乳空間Ｊ１を確保することによって、授乳時のみならず普段から授乳服１０を着用することができる。その他、携行するために折りたたむこともできる。
本願発明に係る授乳服１０は、通常の衣服と同等のデザインが可能である。また、着衣の有無を問わず着用することができる。着衣の上に重ねて着用した場合は、着衣との組み合わせによりバリエーションに富んだ良好なデザインを実現できる。上述のように、本願発明に係る授乳服１０は、授乳のための機能性、デザイン性及び女性のライフサイクルに対応したユニバーサルデザインを兼ね備えている。
【００２２】
図５（Ａ）は、本願発明に係る授乳服１０の第２実施形態を示す説明図である。本実施形態においては、第１実施形態と比較して、第１実施形態における前身頃１１を後身頃（図示省略）とし、第１実施形態における後身頃２１を前身頃５１として構成するとともに、肩ひも８１の取り付け方法及び重なり部６０の左右方向の長さを調節する調節具６４が異なっている。
【００２３】
前身頃５１は、図５（Ａ）に示すように、着用時に、前身頃５１の右側に配設される右前身頃５２と、前身頃５１の左側に配設される左前身頃５６との２枚の身頃から構成され、後身頃は、第１実施形態の前身頃１１と同様、１枚の身頃から構成され、右前身頃５２の右側端５４と後身頃の右側端７１とが接続され、左前身頃５６の左側端５９と後身頃の左側端７２とが接続されている。
また、前身頃５１には、前身頃５１を構成する右前身頃５２の一部と左前身頃５６の一部とを、その上端５３，５７を基準として前後に重ね合わせた重なり部６０を備え、重なり部６０の上端６１のうち、重なり部６０における右前身頃５２の左上端６２と左前身頃５６の右上端６３の少なくとも２箇所を縫着して、右前身頃５２と左前身頃５６とが接続されている。また、右前身頃５２の左側端５５と左前身頃５６の右側端５８は、それぞれ開放されている。また、重なり部６０の上端６１は、着用時、つまり、後述する調節具６４により重なり部６０の左右方向の長さを調節した後に、肩部より下の上胸部に配設されるものとする。本願における上胸部とは、鎖骨から胸元にまで至る範囲を指し、着用者の体格にもよるが、中肉中背の成人女性においては、左または右の首の付け根から鉛直方向に１０ｃｍ〜２５ｃｍの範囲に、重なり部６０の上端６１が配設されるものとする。
【００２４】
さらに、図５（Ａ）に示すように、重なり部６０には、重なり部６０の左右方向の長さを調節する調節具６４が備えられている。本実施形態においては、重なり部６０の上端６１にボタン６５とボタン６５を係止する複数のボタンホール６６，６６，６６とを備え、ボタン６５を係止する係止位置を変えることによって、重なり部６０の左右方向の長さを調節する。重なり部６０の左右方向の長さを調節するための調節具６４には特に制限はなく、ボタン６５とボタンホール６６のほかに、ホックや面ファスナー、スナップ、ゴムやひも等であってもよい。
【００２５】
肩ひも８１、８１は、前身頃５１と後身頃とを繋ぐもので、２本の紐状体から形成される。２本の肩ひも８１，８１の一端は、前身頃５１の上端、すなわち、右前身頃５２の上端５３または左前身頃５６の上端５７に取り付けられ、２本の肩ひもの他端は後身頃の左または右の上端に取り付けられている。また、前挿通部１５と後挿通部３４は設けられていない。
【００２６】
上述のように、前身頃５１に重なり部６０を設け、重なり部６０における右前身頃５２の左上端６２と左前身頃５６の右上端６３を縫着し右前身頃５２と左前身頃５６とを接続するとともに、右前身頃５２の左側端５５と左前身頃５６の右側端５８とを開放することによって、開放された右前身頃５２の左側端５５と左前身頃５６の右側端５８とを左右方向に開くことができ、また、重なり部６０の上端６１を、着用時に、肩部より下の上胸部に配設することによって、重なり部６０の上端６１が肩部にあるのと比較して、胸元と重なり部６０の上端６１との距離が近いことから、上胸部における開放されている右前身頃５２の左側端５５と左前身頃５６の右側端５８との左右方向への開き幅が抑えられるため、前身頃５１の胸元を覆った状態で前身頃５１と後身頃の前後方向及び／又は左右方向の身頃幅を調節することができ、胸元に対してその開き幅を気にせずに授乳を行うことができる。よって、授乳服１０内部に十分な授乳空間Ｊ２を設け、その空間の大きさを調節することができるとともに、着用者は肌の露出を抑えた状態で、乳児に授乳を行うことができる。図５（Ｂ）に、本実施形態の使用状態の一例を示す。また、着用者及び／または乳児の体格による個人差等にも対応することができる。
【００２７】
また、重なり部６０に備えられたボタン６５の係止位置を変えることによって、重なり部６０の左右方向の長さを調節できるため、開放されている右前身頃５２の左側端５５と左前身頃５６の右側端５８とが左右方向に開くことを利用した右前身頃５２と左前身頃５６との左右方向への開き幅が調節でき、前後方向及び／又は左右方向の身頃幅の調節量を調節することができる。よって、授乳服１０内部の授乳空間Ｊ２の大きさを微調節することができるだけではなく、着用者及び／または乳児の体格による個人差等に柔軟に対応することができる。また、普段時は、ボタン６５を複数のボタンホール６６，６６，６６の何れかに係止しておき、授乳時に係止されたボタン６５をはずすとともに、身頃幅を調節し授乳服１０内部に十分な授乳空間Ｊ２を確保することによって、授乳時のみならず普段から授乳服１０を着用することができる。
【００２８】
本願発明に係る授乳服は、重なり部３０が後身頃２１に設けられた場合には、着用時にその上端３１が肩部より下の上背部に配設され、重なり部６０が前身頃５１に設けられた場合には、着用時にその上端６１が肩部より下の上胸部に配設される。よって、重なり部の上端３１，６１が肩部よりも下方に配設されるために、首周りを確保し、授乳のための機能性を損なうことなく容易に前後を変更して着用することができる。本願発明に係る授乳服１０を前後を変更して着用可能としたことによって、上述したように授乳のための機能を向上させるだけでなく、よりバリエーションに富んだ良好なデザインを実現できる。
【符号の説明】
【００２９】
１０    授乳服
１１    前身頃
１２    前身頃の上端
１３    前身頃の右側端
１４    前身頃の左側端
１５    前挿通部
１６    調節孔
１７    前身頃の襟ぐり
２１    後身頃
２２    右後身頃
２３    右後身頃の上端
２４    右後身頃の右側端
２５    右後身頃の左側端
２６    左後身頃
２７    左後身頃の上端
２８    左後身頃の右側端
２９    左後身頃の左側端
３０    重なり部
３１    重なり部の上端
３２    重なり部における右後身頃の左上端
３３    重なり部における左後身頃の右上端
３４    後挿通部
３５    後身頃の襟ぐり
４１    肩ひも
５１    前身頃
５２    右前身頃
５３    右前身頃の上端
５４    右前身頃の右側端
５５    右前身頃の左側端
５６    左前身頃
５７    左前身頃の上端
５８    左前身頃の右側端
５９    左前身頃の左側端
６０    重なり部
６１    重なり部の上端
６２    重なり部における右前身頃の左上端
６３    重なり部における左前身頃の右上端
６４    調節具
７１    後身頃の右側端
７２    後身頃の左側端
８１    肩ひも
【要約】
【課題】着用時の身頃幅を調節可能とすることによって、内部に授乳空間を確保し良好な授乳を行うことができる授乳服を提供する。
【解決手段】前身頃１１と、後身頃２１とを備えた授乳服１０において、後身頃２１には、着用時に後身頃２１の右側に配設される右後身頃２２と、後身頃２１の左側に配設される左後身頃２６とを備え、前身頃１１の右側端１３と右後身頃２２の右側端２４とが接続され、前身頃１１の左側端１４と左後身頃２６の左側端２９とが接続されており、後身頃２１には、右後身頃２２と、左後身頃２６とがその上端２３，２７で前後に重ね合わされた重なり部３０を備え、少なくとも重なり部３０における右後身頃２２の左上端３２と左後身頃２６の右上端３３とが留められ、右後身頃２２の左側端２５と左後身頃２６の右側端２８は開放されており、胸元を覆った状態で身頃幅を調節可能としたことを特徴とする。
【選択図】図１【図１】
0004713683.tif 000002
【図２】
0004713683.tif 000003
【図３】
0004713683.tif 000004
【図４】
0004713683.tif 000005
【図５】
0004713683.tif 000006